(57)【要約】【課題】  この発明は、許可された人間以外が装置の立ち上げを行うことを規制し、不審者の悪用を未然に防ぐことができる。【解決手段】  この発明は、無線ＩＣカードからＩＤ情報を読み取るとともに、本人からのパスワード手入力を待つ。ここで本装置を使用しようとしている係員が正しいパスワードを入力し、これを本装置からオンラインで接続されている管理サーバで認証確認させ、正しいと確認された場合に初めて装置が正常に使用できるところまで立ち上がることとなる。そのため、ここで使用している無線ＩＣカードとしてのＩＤカードや使用者が入力すべきパスワードが正しいものでないと判断されれば、不審者の利用に制限をかけることができ、本装置不正使用を防止するためのセキュリティーアップにつながるものである。【選択図】    図２
2006178522.tif 000002
【特許請求の範囲】
【請求項１】
金銭的価値を有する無線ＩＣカードに対する処理を実行する駅務装置と、この駅務装置と通信回線を介して接続される管理サーバとを有する駅務システムにおいて、
上記駅務装置が、
装置の立ち上げ時に、認証用の無線ＩＣカードから送信される認証カード情報を受信する受信手段と、
この受信手段により認証カード情報を受信した際に、上記認証用の無線ＩＣカードに認証情報を送信する第１の送信手段と、
この第１の送信手段の送信に応答して認証が得られた際に、パスワードの入力を案内する案内手段と、
この案内手段の案内に応じて、パスワードを入力する入力手段と、
この入力手段により入力されたパスワードを上記管理サーバに送信する第２の送信手段と、
この第２の送信手段の送信に応答して認証結果としてパスワードの一致が供給された際に、立上げ処理を許可する許可手段とを有し、
上記管理サーバが、
上記駅務装置から供給されるパスワードと、あらかじめ記憶されているパスワードとが一致するか否かを判断する判断手段と、
この判断手段による判断結果を認証結果として上記駅務装置に送信する第３の送信手段とを有し、
上記認証用の無線ＩＣカードが、
上記駅務装置に認証カード情報を送信する第４の送信手段と、
この第４の送信手段の送信に応答して上記駅務装置から供給される認証情報に基づく認証を行う認証手段と、
この認証手段の認証結果を上記駅務装置に送信する第５の送信手段とを有する、
ことを特徴とする駅務システム。
【請求項２】
金銭的価値を有する無線ＩＣカードに対する処理を実行するとともに、通信回線を介して管理サーバが接続される駅務装置において、
装置の立ち上げ時に、係員用の無線ＩＣカードによる認証を行い、この無線ＩＣカードによる認証がなされた際に、入力されるパスワードを上記管理サーバに送信し、この送信に応答してパスワードの一致を受信した際に、装置の立上げ処理を実行することを特徴とする駅務装置。
【請求項３】
金銭的価値を有する無線ＩＣカードに対する処理を実行する駅務装置と、この駅務装置と通信回線を介して接続される管理サーバとを有する駅務システムにおいて、
上記駅務装置が、
装置の立ち上げ時に、認証用の無線ＩＣカードから送信される認証カード情報を受信する受信手段と、
この受信手段により認証カード情報を受信した際に、上記認証用の無線ＩＣカードに認証情報を送信する第１の送信手段と、
この第１の送信手段の送信に応答して認証ＩＤ番号が得られた際に、パスワードの入力を案内する案内手段と、
この案内手段の案内に応じて、パスワードを入力する入力手段と、
この入力手段により入力されたパスワードを上記認証ＩＤ番号とともに上記管理サーバに送信する第２の送信手段と、
この第２の送信手段の送信に応答して認証結果としてパスワードの一致が供給された際に、立上げ処理を許可する許可手段とを有し、
上記管理サーバが、
上記駅務装置から供給されるパスワードと、あらかじめ上記認証ＩＤ番号に対応して記憶されているパスワードとが一致するか否かを判断する判断手段と、
この判断手段による判断結果を認証結果として上記駅務装置に送信する第３の送信手段とを有し、
上記認証用の無線ＩＣカードが、
上記駅務装置に認証カード情報を送信する第４の送信手段と、
この第４の送信手段の送信に応答して上記駅務装置から供給される認証情報に基づく認証を行う認証手段と、
この認証手段による認証時に、認証ＩＤ番号を上記駅務装置に送信する第５の送信手段とを有する、
ことを特徴とする駅務システム。
【発明の詳細な説明】
【技術分野】
【０００１】
本発明は、金銭的価値を有する無線ＩＣカードに対する処理を実行する駅務装置と、この駅務装置と通信回線を介して接続される管理サーバとを有する駅務システムと駅務装置に関する。
【背景技術】
【０００２】
従来の駅務装置としては、係員対応の駅務処理機は磁気券（磁気媒体）に対するものであった。これは、券自体の磁気情報に顧客情報の書き込みを行っているものであり、データ量にもある程度の制限がある。無線ＩＣカードでは、磁気券に比較すると、多くのデータを保有することが可能であり、また本駅務装置のようにセンタサーバとのオンライン接続を実現することにより、さらにセキュリティー度を向上させた、システムとしての構築も実現できる。（引用文献１）
例えば、前払い式の金額カードとしての無線ＩＣカードの処理に関して、発行の場合、エンドユーザからの申し込みにより、発券作業を行うが、この申し込みの際、個人情報等も一緒に情報登録することにより、万が一無線ＩＣカードをエンドユーザが紛失した時に紛失届けを出すことにより、あらかじめ登録されている個人情報から、無線ＩＣカードを特定し、取得者が不正に利用しようとした場合に、その不正使用を防止することも可能である。
【０００３】
また、本装置は、無線ＩＣカードのカード処理システムに使用する無線ＩＣカードに対する様々な処理を可能としているため、本装置自体が悪用されることを未然に防ぐ必要がある。
【特許文献１】特開平９−３３０４３７号公報
【発明の開示】
【発明が解決しようとする課題】
【０００４】
この発明は、本装置が不審者に悪用されない用にするために、本装置を立ち上げる場合には、装置立ち上げに必要なＩＤ無線ＩＣカードとパスワードをセットとして装置立ち上げを行う。これにより、許可された人間以外が装置の立ち上げを行うことを規制し、不審者の悪用を未然に防ぐことができる駅務システムと駅務装置を提供することを目的とする。
【課題を解決するための手段】
【０００５】
この発明は、金銭的価値を有する無線ＩＣカードに対する処理を実行する駅務装置と、この駅務装置と通信回線を介して接続される管理サーバとを有する駅務システムにおいて、
上記駅務装置が、
装置の立ち上げ時に、認証用の無線ＩＣカードから送信される認証カード情報を受信する受信手段と、
この受信手段により認証カード情報を受信した際に、上記認証用の無線ＩＣカードに認証情報を送信する第１の送信手段と、
この第１の送信手段の送信に応答して認証が得られた際に、パスワードの入力を案内する案内手段と、
この案内手段の案内に応じて、パスワードを入力する入力手段と、
この入力手段により入力されたパスワードを上記管理サーバに送信する第２の送信手段と、
この第２の送信手段の送信に応答して認証結果としてパスワードの一致が供給された際に、立上げ処理を許可する許可手段とを有し、
上記管理サーバが、
上記駅務装置から供給されるパスワードと、あらかじめ記憶されているパスワードとが一致するか否かを判断する判断手段と、
この判断手段による判断結果を認証結果として上記駅務装置に送信する第３の送信手段とを有し、
上記認証用の無線ＩＣカードが、
上記駅務装置に認証カード情報を送信する第４の送信手段と、
この第４の送信手段の送信に応答して上記駅務装置から供給される認証情報に基づく認証を行う認証手段と、
この認証手段の認証結果を上記駅務装置に送信する第５の送信手段とを有するものである。
【０００６】
この発明は、金銭的価値を有する無線ＩＣカードに対する処理を実行するとともに、通信回線を介して管理サーバが接続される駅務装置において、
装置の立ち上げ時に、係員用の無線ＩＣカードによる認証を行い、この無線ＩＣカードによる認証がなされた際に、入力されるパスワードを上記管理サーバに送信し、この送信に応答してパスワードの一致を受信した際に、装置の立上げ処理を実行するものである。
【０００７】
この発明は、金銭的価値を有する無線ＩＣカードに対する処理を実行する駅務装置と、この駅務装置と通信回線を介して接続される管理サーバとを有する駅務システムにおいて、上記駅務装置が、
装置の立ち上げ時に、認証用の無線ＩＣカードから送信される認証カード情報を受信する受信手段と、
この受信手段により認証カード情報を受信した際に、上記認証用の無線ＩＣカードに認証情報を送信する第１の送信手段と、
この第１の送信手段の送信に応答して認証ＩＤ番号が得られた際に、パスワードの入力を案内する案内手段と、
この案内手段の案内に応じて、パスワードを入力する入力手段と、
この入力手段により入力されたパスワードを上記認証ＩＤ番号とともに上記管理サーバに送信する第２の送信手段と、
この第２の送信手段の送信に応答して認証結果としてパスワードの一致が供給された際に、立上げ処理を許可する許可手段とを有し、
上記管理サーバが、
上記駅務装置から供給されるパスワードと、あらかじめ上記認証ＩＤ番号に対応して記憶されているパスワードとが一致するか否かを判断する判断手段と、
この判断手段による判断結果を認証結果として上記駅務装置に送信する第３の送信手段とを有し、
上記認証用の無線ＩＣカードが、
上記駅務装置に認証カード情報を送信する第４の送信手段と、
この第４の送信手段の送信に応答して上記駅務装置から供給される認証情報に基づく認証を行う認証手段と、
この認証手段による認証時に、認証ＩＤ番号を上記駅務装置に送信する第５の送信手段とを有するものである。
【発明の効果】
【０００８】
以上のように、この発明によれば、許可された人間以外が装置の立ち上げを行うことを規制し、不審者の悪用を未然に防ぐことができる駅務システムと駅務装置を提供できる。
【発明を実施するための最良の形態】
【０００９】
以下、図面を参照してこの発明の実施形態に係わる駅務無線システムについて説明する。  
この駅務無線システムは、交通機関の各駅ごとに設けられている係員対応の駅務装置としての無線ＩＣカード処理装置１と、この無線ＩＣカード処理装置１とＬＡＮ等の通信回線２を介して接続される管理サーバ３と、係員が所持する携帯端末としてのハンディターミナル（ＨＴ）４とにより構成されている。
【００１０】
管理サーバ３には、データベース５が接続されている。
【００１１】
無線ＩＣカード処理装置１は、無線ＩＣカード専用の係員処理機である。
【００１２】
無線ＩＣカード処理装置１は、無線ＩＣカードのシステムで使用される定期券発行処理を除く様々な処理を可能とし、エンドユーザが自ら操作するものでは無く、決められた係員が作業を行うことを前提に、ある程度複雑な処理に関しても、状態表示画面の情報を見ながら、処理を行っていくことができる装置である。またセキュリティー確保、売上データ管理等のためにオンラインによる管理サーバ３との接続を可能としており、無線ＩＣカードの処理システムの構築にも十分使用できるものである。
【００１３】
そのため、今後様々な場面で使用が増えると思われる無線ＩＣカードの処理に関して無線ＩＣカード専用の係員処理機として、構造を簡略化することにより、セキュリティー度を損なうことなく処理を行うことができる装置であり、無線ＩＣカードの処理に特化したため、従来の磁気券処理装置に比べても小型化を実現。様々な設置環境での本装置設置を可能としている。
【００１４】
データベース５には、無線ＩＣカード処理装置１により発行された無線ＩＣカードＢのカード番号に対応して、その発行時に設定された個人情報としてのパスワード、生年月日等を記憶するとともに、紛失、盗難等も記憶されるようになっている。また、データベース５には、上記無線ＩＣカード処理装置１の立上げ時に用いる、認証用のパスワードがあらかじめ記憶されている。
【００１５】
上記無線ＩＣカード処理装置１の概略構成について、図１を用いて説明する。
【００１６】
この無線ＩＣカード処理装置１は、全体を制御する制御部１１、種々の設定を行うマウス、キーボード等の操作部１２、種々の設定に基づく表示がなされる表示部１３、無線ＩＣカード処理ユニット１４、プリンタユニット１５、ハンディーターミナル通信ユニット１６により構成されている。制御部１１、操作部１２、表示部１３から構成されるノートパソコン１７に無線ＩＣカード処理ユニット１４、プリンタユニット１５、ハンディーターミナル通信ユニット１６を追加した構成となっている。
【００１７】
上記無線ＩＣカード処理装置１は、無線ＩＣカードだけが扱われるようになっている。この無線ＩＣカードとしては、上記無線ＩＣカード処理装置１の立上げ処理の認証用の無線カードとしてのＩＤカードＡと、金額カードとしての無線ＩＣカードＢが扱われるようになっている。
【００１８】
ＩＤカードＡ、無線ＩＣカードＢは、ＣＰＵとメモリｍと通信部とを内蔵するものであり、ＩＤカードＡのメモリｍには係員用のカード種別番号とＩＤ番号情報が予め登録され、無線ＩＣカードＢのメモリには利用可能な金額（残額、利用状況としての履歴）が記憶されるようになっている。
【００１９】
上記無線ＩＣカード処理装置１は、無線ＩＣカード専用係員処理機で無線ＩＣカード定期券処理業務以外の係員処理を行うことが可能である。主な処理としては、無線ＩＣカードＢによる入出場処理、無線ＩＣカードＢによる入場キャンセル、無線ＩＣカードＢの発行処理、無線ＩＣカードＢに対する残額積み増し処理、無線ＩＣカードＢに対する利用履歴印字・表示、登録（紛失、障害、個人情報）、有効期限更新等である。また、装置１の不正使用を未然に防ぐために、装置１の立上時に無線ＩＣカードとしてのＩＤカードＡでの認証とパスワード入力により、認証確認がされると、装置１の立上となる。
【００２０】
上記無線ＩＣカード処理ユニット１４は、無線カードリーダライタ（無線Ｒ／Ｗ部）４１を内蔵するものであり、上部に置かれる無線カードＢに対して、無線により情報の書込み、読取りを行うものである。
【００２１】
次に、上記のような構成において、この発明による上記無線ＩＣカード処理装置１の操作及び処理について説明する。
【００２２】
上記無線ＩＣカード処理装置１は、様々な無線ＩＣカードにまつわる処理を可能としているため、不審者に不正に使用されることを未然に防ぐために、装置立ち上げに関してセキュリティー対策を実施している。すなわち使用しようとしている係員が本装置１の電源を入れ、本装置１を立ち上げようとした時に、使用可能状態までは立ちあがらず、ＩＤ認証のための待機状態となる。ここで本装置１を使用しようとしている係員が無線ＩＣカードとしてのＩＤカードＡを本装置１の無線ＩＣカード処理ユニット１４により、無線情報の読取を行わせる。本装置１は、この無線ＩＣカードとしてのＩＤカードＡのＩＤ情報を読み取ると同時に、使用者からのパスワード入力待ち状態となる。本装置１を使用しようとしている係員は、手入力でパスワードを入力すると、オンラインで接続された管理サーバ３にこのパスワードを照会確認し、不審者の不正使用を未然に防ぐことができる。ここで入力されたパスワードが正しいものと判断された場合に初めて、本装置１は正常に立ち上がりまで実施をする。
【００２３】
上記立上げ処理について、図２に示すフローチャートを参照しつつ詳細に説明する。
【００２４】
まず、この上記無線ＩＣカード処理装置１を係員が使用できるようにするために、ＩＤ認証を行う。これは、係員以外が上記無線ＩＣカード処理装置１を立ち上げ、不正に使用することを未然に防ぐためのセキュリティ対策である。ＩＤ認証の手順は次の通りである。この際、係員は、事前に発行された無線ＩＣカードであるＩＤカードＡを所有している。
【００２５】
まず、係員は図示しない電源スイッチにより上記無線ＩＣカード処理装置１の電源を立ち上げる（ＳＴ１）。これにより、上記無線ＩＣカード処理装置１の制御部１１は、準備状態になった後に、表示部１３により「認証用のＩＤカードＡを上記無線ＩＣカード処理ユニット１４の上に置いてください。」という案内を表示する（ＳＴ２）。この案内に応じて、係員は所持するＩＤカードＡを無線ＩＣカード処理ユニット１４の上部に置く（ＳＴ３）。これにより、無線ＩＣカード処理ユニット１４の無線Ｒ／Ｗ部４１によりＩＤカードＡへの電源供給を行うとともに、ＩＤカードＡのＣＰＵから送信されるカード種別情報を受信し、制御部１１に出力する（ＳＴ４）。
【００２６】
そして、制御部１１は受信したカード種別情報によりＩＤカードＡを判断する（ＳＴ５）。このＩＤカードＡが判断された際、制御部１１は、認証情報としてのＩＤ情報を無線ＩＣカード処理ユニット１４の無線Ｒ／Ｗ部４１によりＩＤカードＡのＣＰＵに無線送信する（ＳＴ６）。
【００２７】
そして、ＩＤカードＡのＣＰＵは受信したＩＤ情報とメモリｍに予め記憶されているＩＤ情報とを照合し（ＳＴ７）、この一致する際に照合結果としてメモリｍから読み出したＩＤ番号情報を無線ＩＣカード処理ユニット１４の無線Ｒ／Ｗ部４１により制御部１１に送信する（ＳＴ８）。この際、制御部１１は照合結果として一致を受け取った際に、表示部１３によりパスワードの入力画面を案内表示する（ＳＴ９）。この案内に応じて、係員は操作部12によりパスワードを入力する（ＳＴ１０）。これにより、制御部１１はそのパスワードとＩＤ番号情報をＬＡＮ２を介して管理サーバ３に送信する（ＳＴ１１）。
【００２８】
そして、管理サーバ３は上記無線ＩＣカード処理装置１の制御部１１から供給されるパスワードとデータベース５にＩＤ番号情報に対応して予め記憶されているセキュリティ情報のパスワードとを照合し（ＳＴ１２）、この一致するか否かの照合結果（認証結果）をＬＡＮ２により上記無線ＩＣカード処理装置１の制御部１１に送信する（ＳＴ１３）。この際、制御部１１は照合結果として一致を受け取った際に、本装置１が使用可能な係員であると判断することにより（ＳＴ１４）、本装置1が使用できる状態になり（ＳＴ１５）、照合結果として不一致を受け取った際に、本装置１が使用不可能な係員であると判断することにより（ＳＴ１６）、本装置１が使用できない状態となる（ＳＴ１７）。この係員の確認により、装置１が使用可能状態あるいは使用不能状態となる。
【００２９】
上記ステップ１４あるいは１６による判断が行われた後、ＩＤカードＡは係員に返却される。
【００３０】
このセキュリティー対策により、不審者が本装置１の電源を入れた場合でも、装置自体は、準備状態にしかならず、本装置１が使用できる状態にはならない。そのため、不審者の不正使用を事前に防ぐことが可能となり、装置１の安全性が確保される。
【００３１】
次に無線ＩＣカードを使用するエンドユーザに対しての駅入場処理、出場処理に関して説明する。
【００３２】
入場処理を希望するエンドユーザが本装置１がある係員の窓口に来ると、係員は、エンドユーザから無線ＩＣカードＢを受け取り、この無線ＩＣカードＢが使用可能なカードか否かを確認する。ここで無線ＩＣカードＢが何らかの理由で壊れていたり、あるいは先述の紛失届で済みの無線ＩＣカードＢであると認識された場合には、処理ができないことになる。もし処理できないカードである場合は、係員がエンドユーザへ理由を説明し、何らかの理由で壊れたカードである場合は、前払いタイプの無線ＩＣカードＢであれば、変わりのカードを発行し、紛失届出のあるカードであれば、その旨連絡し、個人が特定できれば、再発行し、特定できなければ使用できない旨、エンドユーザに連絡する。エンドユーザから受け取った無線ＩＣカードＢが正常に処理できるものであると判断された場合には、そのまま無線ＩＣカードＢに対して、入場処理を行い、処理完了した無線ＩＣカードＢをエンドユーザに返却する。
【００３３】
この場合、装置1は、無線ＩＣカードＢから供給されるカード番号情報をオンライン接続してある管理サーバ３により、データベース５に登録されている盗難等をチェックし、このチェック結果を装置1へ返納する
出場処理に関しては、残額不足無しの場合と残額不足ありの場合とがあるが、処理の流れとしては、次のようになる。すなわち出場処理を希望するエンドユーザが係員へ無線ＩＣカードＢを渡す。係員は本装置にてまず、この無線ＩＣカードＢが使用可能なカードか否かを確認する。ここで無線ＩＣカードＢが何らかの理由で壊れていたり、あるいは先述の紛失届で済みの無線ＩＣカードＢであると認識された場合には、処理ができないことになる。もし処理できないカードである場合は、係員がエンドユーザへ理由を説明し、何らかの理由で壊れたカードである場合は、無線ＩＣＳＦカードであれば、変わりのカードを発行し、紛失届出のあるカードであれば、その旨連絡し、個人特定できれば、再発行し、特定できなければ使用できない旨、エンドユーザに連絡するエンドユーザから受け取った無線ＩＣカードＢが正常に処理できるものであると判断された場合には、そのまま無線ＩＣカードＢに対して、出場処理を行う。ここで先述した、金額不足と判定された場合であるが、金額不定の場合は、利用客から現金をもらい、無線ＩＣカードＢヘの積み増し処理を行った後、出場処理を行う方法となる。従ってあくまでもエンドユーザが所有している無線ＩＣカードＢのＳＦ部分にある金額から鉄道利用料金を収受することになる。
【００３４】
次にその他の処理に関して説明する。
【００３５】
本装置は、無線ＩＣカードＢの発行処理も可能としている。この流れを説明する。
【００３６】
無線ＩＣカードＢの購入を希望しているエンドユーザが窓口へ来ると、その購入申し込み内容を係員へ伝える。これを元に係員は、本装置１に必要事項を入力し発行操作を行う。この時に購入を希望しているエンドユーザの個人情報を入手できれば、これから発行しようとしている無線ＩＣカードＢに個人情報をリンクさせ、例えば何らかの理由により無線ＩＣカードＢを紛失した場合などに、紛失した無線ＩＣカードＢが不正に利用されないようにするために、その無線ＩＣカードＢの使用を停止させるとも可能である。発行操作に関しては、本装置には無線ＩＣカードＢのホッパ機能は無く、無線ＩＣカードＢの無線情報処理の部分しかないため、発行処理をする前に手で無線ＩＣカード処理ユニット１４へ無線ＩＣカードＢを載せ、本装置の無線ＩＣカード発行ボタンの押下により、無線ＩＣカード発行処理を実施することとなる。発行処理が完了した無線ＩＣカードＢは、購入を希望していたエンドユーザへ渡される。
【００３７】
この場合、装置１によりユニークな番号をカード番号としてメモリｍに登録するとともに、管理サーバ３に通知され、データベース５にカード番号に対して履歴、残額等が追加記録されるようになっている。
【００３８】
また、本装置は、駅係員の無線ＩＣカードとしてのＩＤカードＡの発行及び保守員が保守業務時に使用するいわゆる保守員カードの発行機も兼ねることができる。
【００３９】
無線ＩＣカードの発行に関して、ある特定の時期に大量に発行が見込まれる場合には、事前にまとめ発行処理を実施しておくことも可能である。
【００４０】
上記したように、無線ＩＣカードヘの定期券処理を除く様々な処理が可能である本係員処理機は、エンドユーザが使用する装置ではなく、係員が操作する装置として、汎用ＰＣを入力方法としながら、様々な処理が可能である。
【００４１】
また、無線ＩＣカード専用機としての本係員処理機は、不審者の装置不正使用を未然に防ぐために、無線ＩＣカードとしてのＩＤカードの認証とともに、パスワードの入力により、オンライン接続により別に設けてあるセンタサーバと認証を行うことにより、装置の立上を行うことで、セキュリティーを確保できる。
【００４２】
また、無線ＩＣカードの係員専用機に機能限定することにより、低コストでの装置実現となっており、今後展開が予想される地方駅への設置に対して、優位性がある。
【００４３】
また、無人駅対応として、電車常務者が携帯しているハンディーターミナルのデータ収受機として使用できる。このハンディーターミナルを運用で使用することにより、基本的に駅に機器設置が無い場合でも、係員がこの端末を持っていれば、その場での処理が可能となる。システム拡張のための要素となる。本装置は、この端末のデータ収受を受けることが可能である。
【００４４】
さらに、装置として、単体で業務できるが、セキュリティー確保のため、装置立ち上げ時には、無線ＩＣカードとしてのＩＤカード及びパスワードを使用することにより、不審者の使用を未然に防ぐようになっている。
【図面の簡単な説明】
【００４５】
【図１】この発明の実施形態を説明するためのカード処理装置としての定期券発行装置の概略構成を示す図。
【図２】装置の立上げ処理を説明するためのフローチャート。
【符号の説明】
【００４６】
１…無線ＩＣカード処理装置、Ａ…ＩＤカード（無線ＩＣカード）、Ｂ…無線ＩＣカード、３…管理サーバ、５…データベース、ｍ…メモリ。
【図１】
2006178522.tif 000003
【図２】
2006178522.tif 000004